(57)【要約】【課題】  多次元映像を多様なディスプレイ装置に合わせて出力できるように、そのフォーマットを変換する装置及びその方法を提供する。【解決手段】  多次元映像を入力されて、その解像度をスケーリングアップまたはスケーリングダウンするスケーラーと、ディスプレイ装置の特性情報を受信して、スケーリングした映像をディスプレイ装置の特性に合わせて、そのフォーマットを変換するフォーマッターとを備えることを特徴とする多次元映像フォーマットの変換装置。これにより、３次元映像またはステレオ映像を、どのディスプレイ装置を介しても容易にディスプレイできる。【選択図】      図２
2006033851.tif 000002
【特許請求の範囲】
【請求項１】
多次元映像を入力されて、その解像度をスケーリングアップまたはダウンするスケーラーと、
ディスプレイ装置の特性情報を受信して、前記スケーリングした映像を前記ディスプレイ装置の特性に合わせてそのフォーマットを変換するフォーマッターとを備えることを特徴とする多次元映像フォーマットの変換装置。
【請求項２】
前記スケーラーは、
前記多次元映像の解像度を変換するにあたって、横及び縦の変換比率を互いに異ならせ、各次元の映像のスケーリング比率を互いに異ならせることを特徴とする請求項１に記載の多次元映像フォーマットの変換装置。
【請求項３】
前記スケーラーは、
左側映像を入力されて、その解像度を変換する第１スケーラーと、
右側映像を入力されて、その解像度を変換する第２スケーラーとを備えることを特徴とする請求項１に記載の多次元映像フォーマットの変換装置。
【請求項４】
前記左側映像と前記右側映像との出力ポートを、互いに切り換えて出力する映像スイッチを更に備えることを特徴とする請求項３に記載の多次元映像フォーマットの変換装置。
【請求項５】
前記スケーリングした映像データを保存して、前記左側映像と前記右側映像とを互いに同期させて出力するメモリを更に備えることを特徴とする請求項３に記載の多次元映像フォーマットの変換装置。
【請求項６】
前記映像スイッチを制御する命令をユーザーから受信し、前記フォーマッターを制御するようにディスプレイ装置の特性情報を受信する入出力インターフェースを提供するユーザーインターフェース部を更に備えることを特徴とする請求項４に記載の多次元映像フォーマットの変換装置。
【請求項７】
前記ユーザーインターフェース部は、
前記ディスプレイ装置の特性情報を送受信するポートを更に備えることを特徴とする請求項６に記載の多次元映像フォーマットの変換装置。
【請求項８】
前記ユーザーインターフェース部は、
前記ディスプレイ装置の特性情報として、解像度、入力信号の周波数範囲、映像のフォーマット情報を送受信するＤＤＣ、ＤＤＣ２またはＤＤＣ２Ｂポートであることを特徴とする請求項７に記載の多次元映像フォーマットの変換装置。
【請求項９】
前記フォーマッターは、
入力された多次元映像を少なくとも一つのフォーマットの映像に変換するフォーマット変換部と、
前記生成されたフォーマットのうち、前記ディスプレイ装置が処理できる一つのフォーマットを選択する選択部と、
前記選択されたフォーマットの映像を、前記ディスプレイ装置で受信できる映像信号の形態に変換して出力するディスプレイインターフェース部と、を備えることを特徴とする請求項１に記載の多次元映像フォーマットの変換装置。
【請求項１０】
前記ディスプレイインターフェース部は、
前記選択されたフォーマットの映像をＶＥＳＡ標準による信号にして出力することを特徴とする請求項９に記載の多次元映像フォーマットの変換装置。
【請求項１１】
（ａ）多次元映像を入力されて、その解像度をスケーリングアップまたはダウンするステップと、
（ｂ）ディスプレイ装置の特性情報を受信して、前記スケーリングした映像を前記ディスプレイ装置の特性に合わせてそのフォーマットを変換するステップとを含むことを特徴とする多次元映像フォーマットの変換方法。
【請求項１２】
前記（ａ）ステップは、
前記多次元映像の解像度を変換するにあたって、横及び縦の変換比率を互いに異ならせ、各次元の映像のスケーリング比率を互いに異ならせることを特徴とする請求項１１に記載の多次元映像フォーマットの変換方法。
【請求項１３】
前記（ａ）ステップは、
左側映像を入力されてその解像度を変換し、右側映像を入力されてその解像度を変換するステップであることを特徴とする請求項１１に記載の多次元映像フォーマットの変換方法。
【請求項１４】
前記（ａ）ステップは、
前記左側映像と前記右側映像との出力ポートを互いに切り換えて出力するステップを更に含むことを特徴とする請求項１３に記載の多次元映像フォーマットの変換方法。
【請求項１５】
前記ディスプレイ装置の特性情報で解像度、入力信号の周波数範囲、映像のフォーマット情報を受信して、この情報はＤＤＣ（Ｄｉｓｐｌａｙ  Ｄａｔａ  Ｃｈａｎｎｅｌ）、ＤＤＣ２またはＤＤＣ２Ｂポートを通じて受信することを特徴とする請求項１１に記載の多次元映像フォーマットの変換方法。
【請求項１６】
前記（ｂ）ステップは、
（ｂ１）ディスプレイ装置の特性情報を受信するステップと、
（ｂ２）入力された多次元映像を少なくとも一つのフォーマットの映像に変換するステップと、
（ｂ３）前記生成されたフォーマットのうち、前記ディスプレイ装置が処理できる一つのフォーマットを選択するステップと、
（ｂ４）前記選択されたフォーマットの映像を、前記ディスプレイ装置で受信できる映像信号の形態に変換して出力するステップとを含むことを特徴とする請求項１１に記載の多次元映像フォーマットの変換方法。
【請求項１７】
前記（ｂ４）ステップは、
前記選択されたフォーマットの映像を、ＶＥＳＡ標準による信号にして出力することを特徴とする請求項１６に記載の多次元映像フォーマットの変換方法。
【請求項１８】
請求項１１に記載された方法を、コンピュータで実行させるためのプログラムを記録したコンピュータで読み取り可能な記録媒体。
【発明の詳細な説明】
【技術分野】
【０００１】
本発明は、多次元映像のフォーマット変換に係り、より詳細には、多次元映像を多様なディスプレイ装置に合わせて出力できるように、そのフォーマットを変換する装置及びその方法に関する。
【背景技術】
【０００２】
デジタル放送は、ビデオ、オーディオ及びその他のデータなどのアナログ信号をデジタル信号に変換して、圧縮して伝送した後、これを受信して再び本来のビデオ、オーディオ及びその他のデータ信号に変換して再生する放送であり、従来のアナログ放送に比べて高画質のサービスを提供する。このようなデジタル放送技術を利用して、３次元映像を受信してディスプレイすることについての研究が進められている。３次元立体映像を送受信してディスプレイするためには、多様な視野での映像を作って伝送せねばならないが、現在のネットワーク環境の制限により、ステレオ映像の伝送及びディスプレイに関する研究が優先的に行われている。
【０００３】
一方、ディスプレイ装置は、その特性により、自身が処理できる映像フォーマットが決まっている。そして、ディスプレイ装置の種類は非常に多様であるため、多次元映像をディスプレイするためには、ディスプレイ装置の入力フォーマットに合わせて多次元映像のフォーマットを変換することが必要である。
【特許文献１】日本特開平１０−２６９３７７号公報
【特許文献２】韓国特許公開２０００−００７５９８２号
【特許文献３】韓国特許公開２００４−００００１５４号
【発明の開示】
【発明が解決しようとする課題】
【０００４】
本発明が達成しようとする技術的課題は、多次元映像をディスプレイ装置が処理できるフォーマットに合わせて変換する装置及びその方法を提供するところにある。
【課題を解決するための手段】
【０００５】
前記技術的課題は、本発明により、多次元映像を入力されて、その解像度をスケーリングアップまたはダウンするスケーラーと、ディスプレイ装置の特性情報を受信して、前記スケーリングした映像を、前記ディスプレイ装置の特性に合わせてそのフォーマットを変換するフォーマッターとを備えることを特徴とする多次元映像フォーマットの変換装置により達成される。
【０００６】
前記スケーラーは、前記多次元映像の解像度を変換するにあたって、横及び縦の変換比率を互いに異ならせ、各次元の映像のスケーリング比率を互いに異ならせることが好ましい。
【０００７】
また、前記フォーマッターを制御するように、ディスプレイ装置の特性情報を受信する入出力インターフェースを提供するユーザーインターフェース部を更に備えることが好ましく、前記ユーザーインターフェース部は、前記ディスプレイ装置の特性情報として、解像度、入力信号の周波数範囲、映像のフォーマット情報を送受信するＤＤＣ（ディスプレイデータチャンネル）、ＤＤＣ２またはＤＤＣ２Ｂポートであることが更に好ましい。
【０００８】
前記フォーマッターは、入力された多次元映像を少なくとも一つのフォーマットの映像に変換するフォーマット変換部と、前記生成されたフォーマットのうち、前記ディスプレイ装置が処理できる一つのフォーマットを選択する選択部と、前記選択されたフォーマットの映像を前記ディスプレイ装置で受信できる映像信号の形態に変換して出力するディスプレイインターフェース部と、を備えることが好ましい。
【０００９】
一方、本発明の他の分野によれば、前記技術的課題は、（ａ）多次元映像を入力されて、その解像度をスケーリングアップまたはダウンするステップと、（ｂ）ディスプレイ装置の特性情報を受信して、前記スケーリングした映像を前記ディスプレイ装置の特性に合わせてそのフォーマットを変換するステップとを含むことを特徴とする多次元映像フォーマットの変換方法によっても達成される。
【００１０】
前記（ａ）ステップは、前記多次元映像の解像度を変換するにあたって、横及び縦の変換比率を互いに異ならせ、各次元の映像のスケーリング比率を互いに異ならせることが好ましい。
【００１１】
前記（ｂ）ステップは、（ｂ１）ディスプレイ装置の特性情報を受信するステップと、（ｂ２）入力された多次元映像を少なくとも一つのフォーマットの映像に変換するステップと、（ｂ３）前記生成されたフォーマットのうち、前記ディスプレイ装置が処理できる一つのフォーマットを選択するステップと、（ｂ４）前記選択されたフォーマットの映像を、前記ディスプレイ装置で受信できる映像信号の形態に変換して出力するステップとを含むことが好ましい。
【発明の効果】
【００１２】
本発明によれば、３次元映像またはステレオ映像のフォーマットを、ディスプレイ装置の特性に合わせて変換することによって、３次元映像またはステレオ映像をディスプレイ装置を介しても容易にディスプレイできる。
【発明を実施するための最良の形態】
【００１３】
以下添付された図面を参照して、本発明の好ましい実施例について詳細に説明する。
【００１４】
図１は、本発明の映像フォーマット変換装置とディスプレイ装置との連結を示す図である。
【００１５】
本発明の映像フォーマット変換装置１１０は、多視点映像から構成された多次元映像を入力されて処理できるが、本実施例では、一例としてステレオ映像が入力された場合に、それを処理する場合について説明する。
【００１６】
映像フォーマット変換装置１１０は、多次元映像またはステレオ映像を入力される。ステレオ映像は、左側映像Ｌ１，Ｌ２，・・・，Ｌｎと右側映像Ｒ１，Ｒ２，・・・，Ｒｎから構成される。Ｌ１，Ｌ２，・・・，Ｌｎ及びＲ１，Ｒ２，・・・，Ｒｎは、映像を構成しているフレームである。映像フォーマット変換装置１１０は、入力されたステレオ映像を、ディスプレイ装置１２０が処理できるフォーマットに合わせてそのフォーマットを変換する。より詳細には、ディスプレイ装置１２０に合う解像度で映像をスケーリングアップまたはダウンした後、そのフレームフォーマットを変換して、ディスプレイ装置に合うフレームフォーマットで出力する。一般的に、ディスプレイ装置１２０は、ＶＥＳＡ（Ｖｉｄｅｏ  Ｅｌｅｃｔｒｏｎｉｃｓ  Ｓｔａｎｄａｒｄ  Ａｓｓｏｃｉａｔｉｏｎ）規格による信号を入力されて処理するため、映像フォーマット変換装置１１０は、ＶＥＳＡ規格に合わせてビデオ信号を作ってディスプレイ装置１２０に伝達する。
【００１７】
また、映像フォーマット変換装置１１０がディスプレイ装置１２０の特性を把握してディスプレイ装置１２０に合う映像フォーマットを作らせるために、ディスプレイ装置１２０に関する特性情報を外部ポートを介して受信する。ディスプレイ装置の特性情報と外部ポートとについては後述する。
【００１８】
図２は、本発明の好ましい実施例に係る映像フォーマット変換装置のブロック図である。
【００１９】
映像フォーマット変換装置は、スケーラー２１０、メモリ２２０、ユーザーインターフェース部２３０、映像スイッチ２４０及びフォーマッター２５０を備える。スケーラー２１０は、ステレオ映像を処理するために第１スケーラー２１２及び第２スケーラー２１４を備える。多次元映像の場合には、次元数によってスケーラーを更に多く備えてもよい。
【００２０】
スケーラー２１０は、多次元映像を受信してディスプレイ装置の解像度に合わせてスケーリングする。ディスプレイ装置は、例えば、７２０ｘ４８０フォーマット、１０２４ｘ７６８などの特定フォーマットで出力するように決まっており、多次元映像は、その解像度が多様であるため、入力された多次元映像の解像度をディスプレイ装置に合わせて変換する。横方向の変換と縦方向の変換は、互いに異なってもよく、左側映像と右側映像とのスケーリングが、互いに異なる割合で行われてもよい。
【００２１】
映像スイッチ２４０は、左側映像と右側映像とを互いに変えて、フォーマッター２５０に入力されるようにスイッチングする。これは、入力映像のうち、どれが左側映像であり、どれが右側映像であるか分からない場合がありえるため、左側映像と右側映像とをフォーマッター２５０で互いに変えて処理するためである。メモリ２２０は、スケーリングした映像データを保存する。すなわち、左側映像と右側映像とが互いに同じ時間に出力されるように、スケーリングされた映像を臨時保存する。メモリ２２０の一例としては、ＳＤＲＡＭなどを挙げうる。
【００２２】
ユーザーインターフェース部２３０は、ユーザーからの映像スイッチング命令を受けて映像スイッチ２４０をスイッチングさせるか、またはディスプレイ装置の特性に合わせてフォーマッター２５０を制御できるように、制御命令をユーザーから受信するインターフェースを提供する。ディスプレイ装置に合わせてフォーマッター２５０を制御するために、シリアルポートなどを介してディスプレイ装置の特性情報を受信する。受信できるディスプレイ装置の特性情報は、解像度、入力信号の周波数範囲、映像のフォーマット情報などがある。例えば、ＤＤＣ、ＤＤＣ２、ＤＤＣ２Ｂのようなポートが、このようなディスプレイ装置の特性情報を送受信するポートとして使用されうる。ＤＤＣとは、一種のプラグアンドプレイ（Ｐｌｕｇ  ａｎｄ  Ｐｌａｙ：ＰｎＰ）機能で連結されたコンピュータに、モニターが自身の情報を伝送する技術であり、２、２Ｂは、バージョンを意味する。したがって、このような技術を利用する場合に、ディスプレイ装置は、自身の特性情報をＤＤＣポートを介して外部に出力し、ユーザーインターフェース部２３０は、これを受信して映像スイッチ２４０、フォーマッター２５０などに知らせる。
【００２３】
フォーマッター２５０は、このようなディスプレイ装置の特性に合わせて、スケーリングされた映像のフォーマットを変換する。映像フォーマットの変換については、図４Ａないし図４Ｆを参照して後述する。
【００２４】
図３は、本発明の好ましい実施例に係るフォーマッターの詳細ブロック図である。
【００２５】
フォーマッターは、フォーマット変換部３１０、選択部３２０及びディスプレイインターフェース部３３０を備える。フォーマット変換部３１０は、入力された左側映像及び右側映像を多様なフォーマットの映像に形成する。このために、フォーマット変換部３１０は、ラインバイラインフォーマット変換部３１１、ピクセルバイピクセルフォーマット変換部３１２、トップダウンフォーマット変換部３１３、フィールドバイフィールドフォーマット変換部３１４、フレームバイフレームフォーマット変換部３１５、及び左右映像分離フォーマット変換部３１６を備える。それぞれのフォーマットは、図４Ａないし図４Ｆを参照して後述する。
【００２６】
選択部３２０は、前記した多様なフォーマットのうち、ディスプレイ装置が処理できる一つのフォーマットを選択する。ディスプレイインターフェース部３３０は、前記選択された映像フォーマットを、ディスプレイ装置で受信できる映像信号の形態に映像を出力する。一般的に映像は、ＶＥＳＡ標準によって形成されるため、ディスプレイインターフェース部３３０は、ＶＥＳＡフォーマットの映像を出力する。
【００２７】
図４Ａないし図４Ｆは、多様な映像フォーマットを示す図である。
【００２８】
図４Ａは、ラインバイライン映像を示し、図４Ｂは、ピクセルバイピクセル映像を示し、図４Ｃは、トップダウン映像を示し、図４Ｄは、サイドバイサイド映像を示し、図４Ｅは、フィールドバイフィールド映像を示し、図４Ｆは、フレームバイフレーム映像を示す。すなわち、フォーマット変換部３１０は、このようなフォーマットの映像を形成する。
【００２９】
図５は、本発明の好ましい実施例に係る映像フォーマットの変換方法のフローチャートである。
【００３０】
多次元映像を入力される（Ｓ５１０）。本実施例では、ステレオ映像を入力された場合について例を挙げて説明した。次いで、入力された多次元映像の解像度をスケーリングアップまたはスケーリングダウンする（Ｓ５２０）。多次元映像の解像度を変換するにあたって、横及び縦の変換比率を互いに異ならせ、各次元の映像のスケーリング比率を互いに異ならせ得る。このようにスケーリングをした後、場合によっては、多次元映像の出力ポートを互いに変え得る。例えば、ステレオ映像を入力された場合に、左側映像を右側映像の出力ポートに、右側映像を左側映像の出力ポートに出力できる。
【００３１】
そして、ディスプレイ装置の特性情報を受信する（Ｓ５３０）。ディスプレイ装置の特性情報として、解像度、入力信号の周波数範囲、映像のフォーマット情報などがあり、この情報は、ＤＤＣ、ＤＤＣ２またはＤＤＣ２Ｂポートを介して受信できる。最後に、ディスプレイ装置の特性に合わせてそのフォーマットを変換する（Ｓ５４０）。より詳細には、ディスプレイ装置の特性情報を受信し、入力された多次元映像を少なくとも一つのフォーマットの映像に変換した後、生成されたフォーマットのうち、ディスプレイ装置が処理できる一つのフォーマットを選択して、ディスプレイ装置で受信できる映像信号の形態に変換して出力する。ディスプレイ装置は、一般的にＶＥＳＡ標準による信号を入力されるため、このフォーマットによる信号を出力する。
【００３２】
一方、前記した多次元映像フォーマットの変換方法は、コンピュータプログラムで作成できる。前記プログラムを構成するコード及びコードセグメントは、当該分野のコンピュータプログラマーによって容易に推論されうる。また、前記プログラムは、コンピュータが読み取り可能な情報記録媒体に保存され、コンピュータによって読み取られて実行されることによって、多次元映像フォーマットの変換方法を具現する。前記情報記録媒体は、磁気記録媒体、光記録媒体、及びキャリアウェーブ媒体を備える。
【００３３】
これまで、本発明についてその好ましい実施例を中心に説明した。当業者は、本発明が本発明の本質的な特性から逸脱しない範囲で変形された形態で具現されうることが理解できる。したがって、開示された実施例は、限定的な観点ではなく、説明的な観点で考慮されねばならない。本発明の範囲は、前記した説明ではなく、特許請求の範囲に規定されており、それと同等な範囲内にあるあらゆる差異点は、本発明に含まれたもので解釈されねばならない。
【産業上の利用可能性】
【００３４】
本発明は、映像フォーマットに関連した技術分野に好適に適用され得る。
【図面の簡単な説明】
【００３５】
【図１】本発明の映像フォーマット変換装置とディスプレイ装置との連結を示す図である。
【図２】本発明の好ましい実施例に係る映像フォーマット変換装置のブロック図である。
【図３】本発明の好ましい実施例に係るフォーマッターの詳細ブロック図である。
【図４Ａ】映像フォーマットを示す図である。
【図４Ｂ】映像フォーマットを示す図である。
【図４Ｃ】映像フォーマットを示す図である。
【図４Ｄ】映像フォーマットを示す図である。
【図４Ｅ】映像フォーマットを示す図である。
【図４Ｆ】映像フォーマットを示す図である。
【図５】本発明の好ましい実施例に係る映像フォーマットの変換方法のフローチャートである。
【符号の説明】
【００３６】
２１０  スケーラー
２１２  第１スケーラー
２１４  第２スケーラー
２２０  メモリ
２３０  ユーザーインターフェース部
２４０  映像スイッチ
２５０  フォーマッター
【図１】
2006033851.tif 000003
【図２】
2006033851.tif 000004
【図３】
2006033851.tif 000005
【図４Ａ】
2006033851.tif 000006
【図４Ｂ】
2006033851.tif 000007
【図４Ｃ】
2006033851.tif 000008
【図４Ｄ】
2006033851.tif 000009
【図４Ｅ】
2006033851.tif 000010
【図４Ｆ】
2006033851.tif 000011
【図５】
2006033851.tif 000012